(57)【要約】  【課題】冷却回路が切り替わる時、圧縮機の回転数から発生する振動音と圧縮機内の圧力及び温度変化から発生する振動音が同調して共鳴音が発生することを防止する。  【解決手段】圧縮機１と凝縮器２と流路切替手段である三方弁３と第一のキャピラリ４と冷蔵室用蒸発器５と第二のキャピラリ６と冷凍室用蒸発器７と冷蔵室冷却用ファン１１と冷凍室冷却用ファン１２を備えた冷蔵室９と冷凍室１０とで構成された冷蔵庫１８において、冷蔵室９に冷蔵室用蒸発器５を冷凍室１０に冷凍室用蒸発器７をそれぞれ並列に配置し、三方弁３により冷媒の流れを冷蔵室冷却回路と冷凍室冷却回路に切替ることにより冷蔵室９と冷凍室１０を交互に冷却するとともに、冷蔵室冷却回路から冷凍室冷却回路に切替えるときに圧縮機１の回転数は、冷蔵室冷却時回転数より低い回転数を選択し、冷却回路切り替り初期の圧縮機内共鳴音を最小限に抑える。【選択図】図１
2005265267.tif 000002
【特許請求の範囲】
【請求項１】
圧縮機と凝縮器と流路切替手段である三方弁と第一のキャピラリと冷蔵室用蒸発器と第二のキャピラリと冷凍室用蒸発器と冷蔵室冷却用ファンと冷凍室冷却用ファンを備えた冷蔵室と冷凍室とで構成された冷蔵庫において、前記冷蔵室に前記冷蔵室用蒸発器を前記冷凍室に前記冷凍室用蒸発器をそれぞれ並列に配置し、前記三方弁により冷媒の流れを冷蔵室冷却回路と冷凍室冷却回路に切替ることにより前記冷蔵室と前記冷凍室を交互に冷却するとともに、前記冷却回路を切替える時に前記圧縮機の回転数を変えることを特徴とする冷蔵庫。
【請求項２】
冷蔵室冷却回路から冷凍室冷却回路に切替えるときに前記圧縮機の回転数を変えることを特徴とする請求項１記載の冷蔵庫。
【請求項３】
冷蔵室冷却回路から冷凍室冷却回路に切替えるときに前記圧縮機の回転数は、冷蔵室冷却時回転数より低い回転数を選択することを特徴とする請求項２に記載の冷蔵庫。
【請求項４】
冷凍室冷却回路から冷蔵室冷却回路に切替えるときに前記圧縮機の回転数を変えることを特徴とする請求項１記載の冷蔵庫。
【請求項５】
冷凍室冷却回路から冷蔵室冷却回路に切替えるときに前記圧縮機の回転数は、冷凍室冷却時回転数より高い回転数を選択することを特徴とする請求項４に記載の冷蔵庫。
【発明の詳細な説明】
【技術分野】
【０００１】
本発明は、本発明は、冷蔵室と冷凍室を交互に独立して冷却するシステムの低騒音化に関するものである。
【背景技術】
【０００２】
従来の冷蔵庫として、冷蔵室と冷凍室にそれぞれ蒸発器を備え、交互に冷却しながら庫内を冷却する（例えば、特許文献１参照）。
【０００３】
図７は、従来の冷蔵庫および冷却サイクルの概略図を示したものである。
【０００４】
図において、１は圧縮機、２は凝縮器、３は機械室１１内に配設された切替弁であり、５は冷蔵室９内に配設された冷蔵室用蒸発器であり、７は冷凍室１０内に配設された冷凍室用蒸発器である。４は冷蔵室冷却用である冷蔵室用蒸発器５の上流側に配設された第一のキャピラリであり、６は冷凍室冷却用である冷凍室用蒸発器７の上流側に配設された第二のキャピラリであり、８は冷凍室用蒸発器７の下流側に設けた逆止弁である。
【０００５】
以上のように構成された従来の冷蔵庫について、その動作を説明する。
【０００６】
圧縮機１が駆動された状態で、切替弁３により、圧縮機１から吐出される冷媒が冷蔵室用蒸発器５側に流れるように冷媒流路を切り替えた状態では、圧縮機１において圧縮された冷媒は、高温高圧ガスとなって凝縮器２に送られ、ここで放熱して液化されるようになる。液化された冷媒は、切替弁３により第一のキャピラリ４を通って冷蔵室用蒸発器５に送られ、ここで蒸発することに伴い周囲の熱を奪い、この結果周囲の空気を冷却する。ガス化した冷媒は再び圧縮機１において圧縮されるようになる。
【０００７】
このとき、冷蔵室用蒸発器５により冷却された冷気は冷蔵室用ファン１１の送風作用により冷蔵室９に供給され庫内が冷却される。この場合、冷蔵室９の温度は例えば＋２℃であるために、冷蔵室用蒸発器５による冷却温度が約−５℃となるように、圧縮機１の運転周波数が設定される。また、この時の冷蔵室用蒸発器５の圧力は例えば約０．２４ＭＰａである。このような冷却状態を冷蔵室冷却モードという。
【０００８】
また、圧縮機１が駆動された状態で、切替弁３により、圧縮機１から吐出される冷媒が冷凍室用蒸発器７側に流れるように冷媒流路を切り替えた状態では、圧縮機１において圧縮された冷媒は、高温高圧ガスとなって凝縮器２に送られ液化された冷媒は、切替弁３により第二のキャピラリ６を通って冷凍室用蒸発器７に送られ、ここで蒸発することに伴い周囲の熱を奪い、この結果周囲の空気を冷却する。ガス化した冷媒は逆止弁８を通り、再び圧縮機１において圧縮されるようになる。
【０００９】
このとき、冷凍室用蒸発器７により冷却された冷気は冷凍室用ファン１２の送風作用により冷凍室１０に供給され庫内が冷却される。この場合、冷凍室１０の温度は例えば−１８℃であるために、冷凍室用蒸発器７による冷却温度が約−２８℃となるように、圧縮機１の運転周波数が設定される。また、この時の冷凍室用蒸発器７の圧力は例えば約０．０９ＭＰａである。このような冷却状態を冷凍室冷却モードという。
【００１０】
この冷蔵庫において、冷蔵室９、冷凍室１０には図示しないがそれぞれ温度センサーが設けられていて、それら各温度センサーの検出信号はマイクロコンピューターを備えた制御回路に入力されるようになる。制御回路は、それらの検出信号と、予め備えた制御プログラムに従って、圧縮機１、切替弁３、冷蔵室ファン様ファン１１、冷凍室用ファン１２などを制御する。
【００１１】
冷蔵室９および冷凍室１０とが共に予め設定された設定温度まで冷却された状態で、圧縮機１を停止させる場合、冷蔵室冷却モードで行う。冷蔵室冷却モードにおいては、切替弁３としては圧縮機１と冷蔵室用蒸発器５の入口とを連通した状態となっており、圧縮機１と冷凍室用蒸発器７の入口との間は遮断されている。この状態で圧縮機１を停止させた場合、高圧側からの高温の冷媒が冷凍室用蒸発器７に流入することはなく、しかも、圧力差のために冷凍室用蒸発器７の出口側の逆止弁８が作用するようになるので、冷蔵室用蒸発器５から冷凍室用蒸発器７への冷媒の逆流もない。従って、冷凍室用蒸発器７には低温の冷媒が保持されることになり、冷凍室用蒸発器７の温度が上昇することを抑えられるようになる。そして、圧縮機１の再起動時には冷凍室冷却モードから開始され、このときに、冷凍室用蒸発器７に保持されていた低温の冷媒が再循環することになるので、冷却効率の良い運転ができる。
【特許文献１】特開２００１−９１１３０号公報
【発明の開示】
【発明が解決しようとする課題】
【００１２】
しかしながら、上記従来の構成では、冷凍室冷却モードから冷蔵室冷却モードに切り替る時、圧縮機１の回転数は、同一回転数である。冷蔵室冷却モードから冷凍室冷却モードに切り替ると、圧縮機１内の圧力及び温度が、変化し、圧縮機１の回転が発生する振動と、圧縮機１の圧力及び温度の変化から発生する振動が、同調して圧縮機１内で共鳴音が発生する。また、周囲温度及び負荷量の違いによっても圧縮機１の圧力変化及び温度変化から発生する振動が変化するので、圧縮機１の回転が発生する振動と同調して圧縮機１内で共鳴音が発生する。
【００１３】
本発明は、従来の課題を解決するもので、圧縮機回転数振動と圧縮機内圧力及び温度変化で発生する振動が、同調して発生する圧縮機１内共鳴音を最小限にとどめることを目的とする。
【課題を解決するための手段】
【００１４】
上記従来の課題を解決するために、本発明の冷蔵庫は、冷蔵室に冷蔵室用蒸発器を冷凍室に冷凍室用蒸発器をそれぞれ並列に配置し、三方弁により冷媒の流れを冷蔵室冷却回路と冷凍室冷却回路に切替ることにより冷蔵室と冷凍室を交互に冷却するとともに、前記冷却回路を切替える時に圧縮機の回転数を変えるものである。
【００１５】
これによって、冷却回路を切替える時の圧縮機内の圧力変化及び温度変化から発生する気柱共鳴をずらして、冷却回路切り替り初期の圧縮機内共鳴音を最小限に抑えることが可能となる。
【発明の効果】
【００１６】
本発明の冷蔵庫は、冷却モードが切り替わると同時に圧縮機の回転数を変えることで、圧縮機の内圧力および温度で発生する気柱音と、回転振動から出る音が、同調することを防止し、圧縮機の低騒音化が可能となる。
【発明を実施するための最良の形態】
【００１７】
請求項１に記載の発明は、圧縮機と凝縮器と流路切替手段である三方弁と第一のキャピラリと冷蔵室用蒸発器と第二のキャピラリと冷凍室用蒸発器と冷蔵室冷却用ファンと冷凍室冷却用ファンを備えた冷蔵室と冷凍室とで構成された冷蔵庫において、前記冷蔵室に前記冷蔵室用蒸発器を前記冷凍室に前記冷凍室用蒸発器をそれぞれ並列に配置し、前記三方弁により冷媒の流れを冷蔵室冷却回路と冷凍室冷却回路に切替ることにより前記冷蔵室と前記冷凍室を交互に冷却するとともに、前記冷却回路を切替える時に前記圧縮機の回転数を変えるものであり、冷却回路を切替える時の圧縮機内の圧力変化及び温度変化から発生する気柱共鳴をずらして、冷却回路切り替り初期の圧縮機内共鳴音を最小限に抑えることが可能となり、圧縮機の低騒音化が可能となる。
【００１８】
請求項２に記載の発明は、請求項１に記載の発明において、冷蔵室冷却回路から冷凍室冷却回路に切替えるときに前記圧縮機の回転数を変えることを特徴とするものであり、圧縮機内の圧力変化及び温度変化から発生する気柱共鳴をずらして、冷却回路切り替り初期の圧縮機内共鳴音を最小限に抑えることが可能となり、圧縮機の低騒音化が可能となる。
【００１９】
請求項３に記載の発明は、請求項２に記載の発明において、冷蔵室冷却回路から冷凍室冷却回路に切替えるときに前記圧縮機の回転数は、冷蔵室冷却時回転数より低い回転数を選択するものであり、冷蔵室冷却回路より冷凍室冷却回路側の低圧圧力が低いので、圧縮機内の圧力変化を小さくすることができ、冷却回路切り替り初期の圧縮機内共鳴音を最小限に抑えることが可能となり、圧縮機の低騒音化が可能となる。
【００２０】
請求項４に記載の発明は、請求項１に記載の発明において、冷凍室冷却回路から冷蔵室冷却回路に切替えるときに前記圧縮機の回転数を変えるものであり、圧縮機内の圧力変化及び温度変化から発生する気柱共鳴をずらして、冷却回路切り替り初期の圧縮機内共鳴音を最小限に抑えることが可能となり、圧縮機の低騒音化が可能となる。
【００２１】
請求項５に記載の発明は、請求項４に記載の発明において、冷凍室冷却回路から冷蔵室冷却回路に切替えるときに前記圧縮機の回転数は、冷凍室冷却時回転数より高い回転数を選択するものであり、冷凍室冷却回路より冷蔵室冷却回路側の低圧圧力が高いので、圧縮機内の圧力変化を小さくすることができ、冷却回路切り替り初期の圧縮機内共鳴音を最小限に抑えることが可能となり、圧縮機の低騒音化が可能となる。
【００２２】
以下、本発明の実施の形態について、図面を参照しながら説明する。なお、この実施の形態によってこの発明が限定されるものではない。
【００２３】
（実施の形態１）
図１は本発明の実施の形態１における冷蔵庫の断面図であり、図２は同実施の形態の冷蔵庫のタイムチャートである。
【００２４】
１８は冷蔵庫箱体であり、上方部に比較的高温の区画である冷蔵室９を、下方部に比較的低温の冷凍室１０を配置しており、例えばウレタンのような断熱材で周囲と断熱して構成している。食品等の収納物の出し入れは図示しない断熱ドアを介して行われる。
【００２５】
冷蔵室９は冷蔵保存のために通常１〜５℃で設定されているが、保鮮性向上のため若干低めの温度、例えば−３〜０℃で設定されることもあり、収納物によって、使用者が自由に上記のような温度設定を切り替えることを可能としている場合もある。また、ワインや根野菜等の保鮮のために、例えば１０℃前後の若干高めの温度設定とする場合もある。
【００２６】
冷凍室１０は冷凍保存のために通常−２２〜−１８℃で設定されているが、保鮮性向上のためより低温の温度、例えば−３０〜−２５℃で設定されることもある。
【００２７】
冷凍サイクル１９は圧縮機１と凝縮器２と流路切替手段である三方弁３と第一のキャピラリ４と冷蔵室用蒸発器５と第一のサクションライン１３を順次接続し、三方弁３を介して第一のキャピラリ４と冷蔵室用蒸発器５と第一のサクションライン１３と並列になるように第ニのキャピラリ６と冷凍室用蒸発器７と第二のサクションライン１４と第二のサクションライン１４途中に逆止弁８を接続してある。
【００２８】
圧縮機１と凝縮器２と三方弁３と逆止弁８は可燃性冷媒を用いた場合の安全性向上の面から冷蔵庫箱体１８内での配管溶接箇所低減のため機械室１７内に配設してある。
【００２９】
また、各蒸発器から戻ってくる冷媒は圧縮機吸込管１５を通って圧縮機１内空間へ放出された後、圧縮機吐出管１６を通じて吐出される構成である。
【００３０】
冷蔵室用蒸発器５は冷蔵室９内の、例えば冷蔵室９奥面に配設されており、近傍には冷蔵室９の区画内空気を冷蔵室用蒸発器５に通過させて循環させる冷蔵室用ファン１１が設けてある。
【００３１】
また、冷凍室用蒸発器７は冷凍室１０内の、例えば冷凍室１０奥面に配設されており、近傍には冷凍室１０の区画内空気を冷凍室用蒸発器７を通過させて循環させる冷凍室用ファン１２が設けてある。
【００３２】
また、圧縮機１は例えばインバーターによる回転数制御で冷媒循環量を制御し冷凍能力を変化させることができる能力可変型としてある。
【００３３】
また、三方弁３は例えばパルスモータにより作動するものであり開閉の動作中のみ通電されるものである。
【００３４】
また、冷蔵室９と冷凍室１０には区画内温度を検知する、例えばサーミスタである温度検知手段ＴＨ１、ＴＨ２を設けてあり、圧縮機１と三方弁３と冷蔵室用ファン１１と冷凍室用ファン１２とを制御する制御手段Ｃ１とを備えている。
【００３５】
以上のように構成された冷蔵庫について、冷蔵室９と冷凍室１０の冷却タイミングについて図２のタイムチャートを元に説明する。
【００３６】
圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると圧縮機１と冷蔵室用ファン１１を作動し、三方弁３を第一のキャピラリ４側に開放し冷蔵室９冷却を開始する（Ｔ１）。
【００３７】
圧縮機１の動作により吐出された高温高圧の冷媒は、凝縮器２にて放熱して凝縮液化し、三方弁３を経て第一のキャピラリ４に至る。その後、第一のキャピラリ４で第一のサクションライン１３と熱交換しながら減圧されて冷蔵室用蒸発器５に至る。冷蔵室用ファン１１の作動により冷蔵室９内の空気と積極的に熱交換した冷媒は冷蔵室用蒸発器５内で蒸発気化し、熱交換した空気はより低温の空気となって吐出され冷蔵室９を冷却する。気化した冷媒は、第一のサクションライン１３を経て圧縮機１に吸入される。
【００３８】
なお、第二のサクションライン１４の途中に逆止弁８を配設しているので第一のサクションライン１３を経た冷媒が第二のサクションライン１４を経て冷凍室用蒸発器７内に流入することはない。
【００３９】
冷蔵室９の冷却を開始すると冷蔵室温度検知手段ＴＨ１が予め設定された所定の温度ｔ１１Ｌ、ｔ１２Ｌ、ｔ１３Ｌ以下と段階的に、圧縮機１の回転数を低速回転ｒ／ｓ１からｒ／ｓ２さらにｒ／ｓ３とシフトアップするように制御手段Ｃ１にてある一定の回転数以下で、冷却をする。且つ冷凍室温度検知手段であるＴＨ２が予め設定された所定の温度（ｔ２Ｌ）以上を検知以下すると制御手段Ｃ１はこの信号を受け冷蔵室用ファン１１を停止するとともに冷凍室用ファン１２を作動し、三方弁３を第ニのキャピラリ６側に開放し冷凍室１０の冷却を開始する（Ｔ２）。
【００４０】
圧縮機１の動作により吐出された高温高圧の冷媒は、凝縮器２にて放熱して凝縮液化し、三方弁３を経て第ニのキャピラリ６に至る。その後、第ニのキャピラリ６で第ニのサクションライン１４と熱交換しながら減圧されて冷凍室用蒸発器７に至る。冷凍室用ファン１２の作動により冷凍室１０内の空気と積極的に熱交換した冷媒は冷凍室用蒸発器７内で蒸発気化し、熱交換した空気はより低温の空気となって吐出され冷凍室１０を冷却する。気化した冷媒は、第ニのサクションライン１４および逆止弁８を経て圧縮機１に吸入される。
【００４１】
冷凍室１０の冷却は冷凍室温度検知手段ＴＨ２が予め設定された所定の温度（ｔ２Ｌ）以下になるまで、圧縮機１の回転数は、ｒ／ｓ４の高速で回転する。且つ冷蔵室温度検知手段であるＴＨ１が予め設定された所定の温度（ｔ１Ｈ）以上を検知すると制御手段Ｃ１はこの信号を受け冷凍室用ファン１２を停止するとともに冷蔵室用ファン１１を作動し、三方弁３を第一のキャピラリ４側に開放し冷蔵室９の冷却を開始する（Ｔ３）。
【００４２】
以上の動作を繰り返し、三方弁３を用いて冷媒の流れを切り替えることにより、冷蔵室９と冷凍室１０を交互に冷却し、冷蔵室９と冷凍室１０の温度検知手段が共に予め設定された所定の温度（ｔ１Ｈおよびｔ２Ｌ）より低いことを検知すると三方弁３を第一のキャピラリ４側流路および第ニのキャピラリ６側流路ともに閉とし圧縮機１、冷蔵室用ファン１１、冷凍室用ファン１２を停止する（Ｔ４）。前記冷蔵室９冷却から冷凍室１０冷却あるいは、冷凍室１０冷却から冷蔵室９冷却に切り替わるとき、圧縮機１の回転数が変化する。
【００４３】
冷蔵室９の冷却から冷凍室１０の冷却に変わるときは、冷凍室の温度検知手段ＴＨ１の信号を制御手段Ｃ１が読み取り、圧縮機１の回転数を可変する。冷凍室１０の冷却から冷蔵室９の冷却に変わるときは、冷蔵室の温度検知手段ＴＨ２の信号を制御手段Ｃ１が読み取り、圧縮機１の回転数を可変する。
【００４４】
圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると圧縮機１と冷蔵室用ファン１１を作動し、三方弁３を第一のキャピラリ４側に開放し冷蔵室９冷却を開始する（Ｔ５）。
【００４５】
圧縮機１停止中は三方弁３を第一のキャピラリ４側流路および第ニのキャピラリ６側流路ともに閉としているので、圧縮機１運転中に凝縮機２内に滞留していた高温高圧の冷媒は冷蔵室用蒸発器５および冷凍室用蒸発器７に流入しないので圧縮機１停止中の各部屋の温度上昇を最小限に抑えることが可能となる。
【００４６】
また、圧縮機１停止中は凝縮器２側に冷媒をホールドしているので次回の冷却が冷蔵室９冷却、冷凍室１０冷却何れの場合でも速やかに各蒸発器に冷媒を供給することができ冷却効率を向上することが可能となる。
【００４７】
そして上述したように冷却モードが切り替わると第一のキャピラリ４あるいは第ニのキャピラリ６で冷媒の流量が異なる。冷媒流量が増減することで、圧縮機１の内圧及び温度が変化するが、同時に圧縮機１の回転数を変えることで、圧縮機１の内圧力および温度で発生する気柱音と、回転振動から出る共振音が共鳴しないことを可能にでき、低騒音化が図れる。
【００４８】
（実施の形態２）
図３は本発明の実施の形態２の冷蔵庫のタイムチャートである。なお、実施の形態１と同一部分については説明を省略する。
【００４９】
圧縮機１停止後は、制御手段Ｃ１の信号により、冷蔵室冷却モードから開始され冷蔵室９庫内温度は、冷蔵室検知手段ＴＨ１が所定の温度に到達するまで、圧縮機１の回転数をｒ／ｓ１からｒ／ｓ４まで回転数を変化させる。冷蔵室９が、所定の温度に到達するときの圧縮機１の回転数は、高回転になっている。次に冷凍室冷却モードに切り替わる。冷凍室１０の温度は、冷凍室の温度検知手段Ｔ２Ｈの温度を制御手段Ｃ１にて読み取り、圧縮機１の回転数を選択する。
【００５０】
したがって、圧縮機１の内圧力および温度で発生する気柱音と、回転振動から出る共振音が共鳴しないようにでき、低騒音化が図れる。
【００５１】
（実施の形態３）
図４は本発明の実施の形態３の冷蔵庫のタイムチャートである。なお、実施の形態１と同一部分については説明を省略する。
【００５２】
圧縮機１停止後は、制御手段Ｃ１の信号により、冷蔵室冷却モードから開始され冷蔵室９庫内温度は、冷蔵室検知手段ＴＨ１が所定の温度に到達するまで、圧縮機１の回転数をｒ／ｓ１からｒ／ｓ４まで回転数を変化させる。冷蔵室９が、所定の温度に到達するときの圧縮機１の回転数は、高回転になっている。次に冷凍室冷却モードに切り替わる。冷凍室１０の温度は具体的には−１８℃程度冷えており、圧縮機１の回転数ｒ／ｓ４の高回転は必要でない。冷凍室の温度検知手段Ｔ２Ｈの温度を制御手段Ｃ１にて読み取り、圧縮機１の回転数を冷蔵室冷却モードより冷凍室冷却モードは低い回転数を選択する。
【００５３】
したがって、冷蔵室冷却回路より冷凍室冷却回路側の低圧圧力が低いので、圧縮機内の圧力変化を小さくすることができ、冷却回路切り替り初期の圧縮機内共鳴音を最小限に抑えることが可能となり、圧縮機の低騒音化が可能となる。
【００５４】
（実施の形態４）
図５は本発明の実施の形態４の冷蔵庫のタイムチャートである。なお、実施の形態１と同一部分については説明を省略する。
【００５５】
冷蔵室９の庫内温度は、冷蔵室検知手段ＴＨ１が所定の温度に到達するまで、圧縮機１の回転数をｒ／ｓ１からｒ／ｓ４まで回転数を変化させる。冷蔵室９が、所定の温度に到達するときの圧縮機１の回転数は、高回転になっている。次に冷凍室冷却モードに切り替わる。冷凍室１０の庫内温度は具体的には−１８℃程度冷えており圧縮機１の回転数ｒ／ｓ４の高回転は必要でない。冷凍室の温度検知手段Ｔ２Ｈの温度を制御手段Ｃ１にて読み取り圧縮機１の回転数をｒ／ｓ３以下から圧縮機１は運転を開始する。
【００５６】
従って圧縮機１の回転数をｒ／ｓ３以下から運転を開始することで圧縮機１の内圧力および温度で発生する気柱音と、回転振動から出る共振音が共鳴しないことを可能にできる。
【００５７】
（実施の形態５）
図６は本発明の実施の形態５の冷蔵庫のタイムチャートである。なお、実施の形態１と同一部分については説明を省略する。
【００５８】
冷蔵室９の庫内温度は、冷蔵室検知手段ＴＨ１が所定の温度に到達するまで、圧縮機１の回転数をｒ／ｓ１からｒ／ｓ４まで回転数を変化させる。冷蔵室９が、所定の温度に到達するときの圧縮機１の回転数が、ｒ／ｓ２になっている。圧縮機１の回転数が、ｒ／ｓ２と低回転の場合は、圧縮機１の内圧力および温度は、比較的低い。次に冷凍室冷却モードに切り替わるが、このとき、圧縮機１の回転数をｒ／ｓ２以上の回転数を選択する。
【００５９】
したがって、冷凍室冷却回路より冷蔵室冷却回路側の低圧圧力が高いので、圧縮機内の圧力変化を小さくすることができ、冷却回路切り替り初期の圧縮機内共鳴音を最小限に抑えることが可能となり、圧縮機の低騒音化が可能となる。
【産業上の利用可能性】
【００６０】
以上のように、本発明にかかる冷蔵庫は、冷却モードが切り替わると同時に圧縮機の回転数を変えることで、圧縮機の内圧力および温度で発生する気柱音と、回転振動から出る音が、同調することを防止し、圧縮機の低騒音化が可能となるので、冷凍機器等の用途にも適用できる。
【図面の簡単な説明】
【００６１】
【図１】本発明の実施の形態１の冷蔵庫の断面図
【図２】同実施の形態の冷蔵庫のタイムチャート
【図３】本発明の実施の形態２の冷蔵庫のタイムチャート
【図４】本発明の実施の形態３の冷蔵庫のタイムチャート
【図５】本発明の実施の形態４の冷蔵庫のタイムチャート
【図６】本発明の実施の形態５の冷蔵庫のタイムチャート
【図７】従来の冷蔵庫の断面図
【符号の説明】
【００６２】
１    圧縮機
２    凝縮器
３    三方弁
４    第一のキャピラリ
５    冷蔵室用蒸発器
６    第二のキャピラリ
７    冷凍室用蒸発器
８    逆止弁
９    冷蔵室
１０  冷凍室
１１  冷蔵室用ファン
１２  冷凍室用ファン
１８  冷蔵庫
【図１】
2005265267.tif 000003
【図２】
2005265267.tif 000004
【図３】
2005265267.tif 000005
【図４】
2005265267.tif 000006
【図５】
2005265267.tif 000007
【図６】
2005265267.tif 000008
【図７】
2005265267.tif 000009